(57)【要約】【課題】机に向かって仕事等を行う場合に、使用者に対しては顔に暖気が当らず、しかも、足元が温かくかつ天井からは床面に向けて給気されて頭部が涼しい頭寒足熱状態を維持できる空気調和システム及び個室ユニットを提供する。【解決手段】床暖房手段１と、天井２側から床面３に向けて給気する給気手段４とを備える。床暖房手段１からの暖気と、給気手段４からの給気とで空気調和空間を形成する。空気調和空間に配置した机１１の天板１２の下方において天板手前から天板奥側へと排気を流して空気調和空間から排出する排気口１６を設けた。排気口１６を机１１の天板１２よりも下方位置に設けた。【選択図】    図１
2004198039.tif 000002
【特許請求の範囲】
【請求項１】
床暖房手段（１）と、天井（２）側から床面（３）に向けて給気する給気手段（４）とを備え、上記床暖房手段（１）からの暖気と、上記給気手段（４）からの給気とで空気調和空間を形成する空気調和システムであって、上記空気調和空間に配置した机（１１）の天板（１２）の下方において天板手前から天板奥側へと排気を流して上記空気調和空間から排出する排気口（１６）を設けたことを特徴とする空気調和システム。
【請求項２】
上記給気手段（４）による給気を冷却する冷却手段（１０）を設けたことを特徴とする請求項１の空気調和システム。
【請求項３】
上記排気口（１６）を上記机（１１）の天板（１２）よりも下方位置に設けたことを特徴とする請求項１又は請求項２の空気調和システム。
【請求項４】
上記空気調和空間に照明器（２５）等の発熱体（２６）が配置されており、この発熱体（２６）からの熱気をこの空気調和空間から排出する排熱口（２７）を設けたことを特徴とする請求項１〜請求項３のいずれかの空気調和システム。
【請求項５】
上記排熱口（２７）と上記排気口（１６）とが共通することを特徴とする請求項４の空気調和システム。
【請求項６】
上記床暖房手段（１）の暖房能力及び給気手段（４）の給気能力を調整して、空気調和空間の上下方向温度分布を制御する制御手段（２０）を設けたことを特徴とする請求項１〜請求項５のいずれかの空気調和システム。
【請求項７】
床暖房手段（１）と、天井（２）側から床面（３）に向けて給気する給気手段（４）とを備え、上記床暖房手段（１）からの暖気と、上記給気手段（４）からの給気とで室内を空気調和空間とする個室ユニットであって、上記室内に机（１１）を配置すると共に、上記机（１１）の天板（１２）の下方において天板手前から天板奥側へと排気を流して室外へ排出する排気口（１６）を、個室側壁（１３）に設けたことを特徴とする個室ユニット。
【請求項８】
上記給気手段（４）による給気を冷却する冷却手段（１０）を設けたことを特徴とする請求項７の個室ユニット。
【請求項９】
上記排気口（１６）を、上記机（１１）の天板（１２）よりも下方位置において、個室側壁（１３）に設けたことを特徴とする請求項７又は請求項８の個室ユニット。
【請求項１０】
上記室内に照明器（２５）等の発熱体（２６）が配置されており、この発熱体（２６）からの熱気を室外へ排出する排熱口（２７）を、個室側壁（１３）に設けたことを特徴とする請求項７〜請求項９のいずれかの個室ユニット。
【請求項１１】
上記排熱口（２７）と上記排気口（１６）とが共通することを特徴とする請求項１０の個室ユニット。
【請求項１２】
上記床暖房手段（１）の暖房能力及び給気手段の給気能力を調整して、室内の上下方向温度分布を制御する制御手段（２０）を設けたことを特徴とする請求項７〜請求項１１のいずれかの個室ユニット。
【発明の詳細な説明】
【０００１】
【発明の属する技術分野】
この発明は、空気調和システム及び個室ユニットに関するものである。
【０００２】
【従来の技術】
机に向かって仕事等を行う場合、足元が暖かく、頭が冷たい状態、つまり頭寒足熱状態が最も仕事がはかどる。そして、頭寒足熱状態を形成するものとして、従来から、個室の天井に冷暖房ユニットを組み込み、さらに、個室の床等に加熱器を設けた冷暖房装置がある（例えば、特許文献１参照）。
【０００３】
この冷暖房装置は、例えば、夏季においては、天井側の冷暖房ユニットから冷却された調温空気が下方に向かって吹き出され、床等から加熱器の輻射熱にて微弱の暖房が行われる。これによって、天井側からの気流による空調と、床等からの輻射による空調とで個室内が空調される。この際、使用者は、頭部側が冷却された調温空気にて冷やされて、足元が床等からの輻射により暖められ、頭寒足熱状態となるようにしている。また、冬季においては、天井側の冷暖房ユニットから加熱された調温空気が下方に向かって吹き出され、床等から加熱器の輻射熱にて暖房が行われる。この際、冷暖房ユニットからは微弱の送風とされ、この冬季においても使用者は頭寒足熱状態となるようにしている。
【０００４】
【特許文献１】
特開平５−２６４０５８号公報（第２−４頁、図１）
【０００５】
【発明が解決しようとする課題】
しかしながら、一般には、暖かい空気は上昇し、冷たい空気は下降する。このため、床等からの輻射による熱気が次第に上昇して、使用者の上半身を暖めることになる。従って、頭寒足熱状態を形成できたとしても、熱気が次第に上昇して、頭寒足熱状態を維持することができなくなる。しかも、天井側からの気流によって、個室内に対流が生じ、これによって、使用者の頭部に暖気が直接的に当る場合もある。このようなとき、特に使用者の顔に暖気が直接的に当る場合には、使用者は大きな不快感を感じることになる。
【０００６】
この発明は、上記従来の欠点を解決するためになされたものであって、その目的は、机に向かって仕事等を行う場合に、使用者に対しては顔に暖気が当らず、しかも、足元が温かくかつ天井からは床面に向けて給気されて頭部が涼しい頭寒足熱状態を維持できる空気調和システム及び個室ユニットを提供することにある。
【０００７】
【課題を解決するための手段】
そこで、請求項１の空気調和システムは、床暖房手段１と、天井２側から床面３に向けて給気する給気手段４とを備え、上記床暖房手段１からの暖気と、上記給気手段４からの給気とで空気調和空間を形成する空気調和システムであって、上記空気調和空間に配置した机１１の天板１２の下方において天板手前から天板奥側へと排気を流して上記空気調和空間から排出する排気口１６を設けたことを特徴としている。
【０００８】
上記請求項１の空気調和システムでは、床暖房手段１から暖気と、天井２側から床面３に向けての給気手段４の給気にて、空気調和空間を形成することによって、机１１に向かって仕事等をする使用者は、足元が暖かく、天井２からは床面３に向けて給気されて、頭寒足熱状態となる。そして、排気口１６を設けたことによって、机１１の天板１２の下方において天板手前から天板奥側へと排気を流して上記空気調和空間から排出することができる。これによって、床暖房手段１からの暖気が天板奥側から天板手前へと流れず、天板手前から使用者に向かって暖気が上昇するのを防止することができる。
【０００９】
請求項２の空気調和システムは、上記給気手段４による給気を冷却する冷却手段１０を設けたことを特徴としている。
【００１０】
上記請求項２の空気調和システムでは、給気手段４の給気が冷却されているので、冷気が天井側から床面に下降することになって、夏場等において頭部側を冷やして能率よく仕事等を行うことができる。
【００１１】
請求項３の空気調和システムは、上記排気口１６を上記机１１の天板１２よりも下方位置に設けたことを特徴としている。
【００１２】
上記請求項３の空気調和システムでは、排気口１６を上記机１１の天板１２よりも下方位置に設けたことにより、机１１の天板１２の下方において天板手前から天板奥側へと排気を確実に流すことができる。これにより、机１１に向かって仕事等をする使用者に対して、天板手前から使用者に向かって暖気が上昇するのを確実に防止することができる。
【００１３】
請求項４の空気調和システムは、上記空気調和空間に照明器２５等の発熱体２６が配置されており、この発熱体２６からの熱気をこの空気調和空間から排出する排熱口２７を設けたことを特徴としている。
【００１４】
請求項４の空気調和システムでは、照明器２５等の発熱体２６からの熱気を排熱口２７を介して空気調和空間から排出することができるので、机１１に向かって仕事等をする使用者に対するこの熱気による不快感等の影響を防止することができる。
【００１５】
請求項５の空気調和システムは、上記排熱口２７と上記排気口１６とが共通することを特徴としている。
【００１６】
上記請求項５の空気調和システムでは、照明器２５等の発熱体２６からの熱気を空気調和空間から排出する排熱口２７と、天板手前から天板奥側へと排気を流して空気調和空間から排出する排気口１６とが共通であるので、この空気調和システムの施工の簡略化を図ることができる。
【００１７】
請求項６の空気調和システムは、上記床暖房手段１の暖房能力及び給気手段４の給気能力を調整して、空気調和空間の上下方向温度分布を制御する制御手段２０を設けたことを特徴としている。
【００１８】
上記請求項６の空気調和システムでは、制御手段２０にて、空気調和空間の上下方向温度分布を制御することができるので、使用者の好みや、季節等によって、空気調和空間を種々の上下方向温度分布に形成することができる。
【００１９】
請求項７の個室ユニットは、床暖房手段１と、天井２側から床面３に向けて給気する給気手段４とを備え、上記床暖房手段１からの暖気と、上記給気手段４からの給気とで室内を空気調和空間とする個室ユニットであって、上記室内に机１１を配置すると共に、上記机１１の天板１２の下方において天板手前から天板奥側へと排気を流して室外へ排出する排気口１６を、個室側壁１３に設けたことを特徴としている。
【００２０】
上記請求項７の個室ユニットでは、床暖房手段１から暖気と、天井２側から床面３に向けての給気手段４の給気にて、室内を空気調和空間に形成することによって、机１１に向かって仕事等をする使用者は、足元が暖かく、天井２からは床面３に向けて給気されて、頭寒足熱状態となる。そして、排気口１６を設けたことによって、机１１の天板１２の下方において天板手前から天板奥側へと排気を流して室外へ排出することができる。これによって、床暖房手段１かの暖気が天板奥側から天板手前へと流れず、天板手前から使用者に向かって暖気が上昇するのを防止することができる。
【００２１】
請求項８の個室ユニットは、上記給気手段４による給気を冷却する冷却手段１０を設けたことを特徴としている。
【００２２】
上記請求項８の個室ユニットでは、給気手段４の給気が冷却されているので、冷気が天井２側から床面３に下降することになって、夏場等において頭部側を冷やして能率よく仕事等を行うことができる。
【００２３】
請求項９の個室ユニットは、上記排気口１６を、上記机１１の天板１２よりも下方位置において、個室側壁１３に設けたことを特徴としている。
【００２４】
請求項９の個室ユニットでは、排気口１６を上記机１１の天板１２よりも下方位置に設けたことにより、机１１の天板１２の下方において天板手前から天板奥側へと排気を確実に流すことができる。これにより、机１１に向かって仕事等をする使用者に対して、天板手前から使用者に向かって暖気が上昇するのを確実に防止することができる。
【００２５】
請求項１０の個室ユニットは、上記室内に照明器２５等の発熱体２６が配置されており、この発熱体２６からの熱気を室外へ排出する排熱口２７を、個室側壁１３に設けたことを特徴としている。
【００２６】
上記請求項１０の個室ユニットでは、照明器２５等の発熱体２６からの熱気を排熱口２７を介して室外へ排出することができるので、机１１に向かって仕事等をする使用者に対するこの熱気による不快感等の影響を防止することができる。
【００２７】
請求項１１の個室ユニットは、上記排熱口２７と上記排気口１６とが共通することを特徴としている。
【００２８】
上記請求項１１の個室ユニットでは、照明器２５等の発熱体２６からの熱気を室外へ排出する排熱口２７と、天板手前から天板奥側へと排気を流して室外へ排出する排気口１６とが共通であるので、この個室ユニットの施工の簡略化を図ることができる。
【００２９】
請求項１２の個室ユニットは、上記床暖房手段１の暖房能力及び給気手段４の給気能力を調整して、室内の上下方向温度分布を制御する制御手段２０を設けたことを特徴としている。
【００３０】
上記請求項１２の個室ユニットでは、制御手段２０にて、室内の上下方向温度分布を制御することができるので、使用者の好みや、季節等によって、室内を種々の上下方向温度分布に形成することができる。
【００３１】
【発明の実施の形態】
次に、この発明の空気調和システム及び個室ユニットの具体的な実施の形態について、図面を参照しつつ詳細に説明する。図１は空気調和システムを使用した個室ユニットの全体簡略図を示し、図２は個室ユニットの個室５の斜視図を示している。空気調和システムは、図１に示すように、床暖房手段１と、天井２側から床面３に向けて給気する給気手段４とを備え、上記床暖房手段１からの暖気と、上記給気手段４からの給気とで空気調和空間を形成するものであり、個室ユニットは、個室５と、この個室５に空気調和システムを配置したものであって、個室内（室内）を上記空気調和空間に形成することができるようにしている。
【００３２】
床暖房手段１は、この場合、温水床暖房パネル、電気ヒータパネル等からなる輻射パネル（図示省略）を備え、この輻射パネルが床内部に配設され、床面３を暖めて、暖気を上昇させることができる。また、給気手段４は給気ファン７を備え、この給気ファン７の駆動により、天井２に設けた吹出口８を介して室内へ給気する。なお、吹出口８には、給気方向変換用の羽根部材（フラップ）（図示省略）が設けられている。
【００３３】
また、給気手段４の給気は冷却手段１０にて冷却することができる。この場合、冷却手段１０としては、例えば、ペルチェ素子を利用した冷却器を使用することができ、さらには、ヒートポンプ式冷暖房機の蒸発器として機能する熱交換器等を使用することができる。このように、冷却手段１０を使用すれば、冷却した空気を室内へ給気することができる。
【００３４】
そして、図２に示すように、個室５には机１１が設置され、利用者Ｍはこの机１１に向かって仕事や勉強を行うように設定される。この場合、机１１は、天板１２とこれと支持する脚部材１５、１５とからなる。この際、天板１２は、４つの個室側壁１３ａ、１３ｂ、１３ｃ、１３ｄのうちの一つの個室側壁（第１個室側壁１３ａ）に天板後端縁１４が接触するように水平状に配置される。なお、他の個室側壁（第２個室側壁１３ｂ）には、出入口１８が形成され、この出入口１８にドア１９が装着されている。
【００３５】
そして、この机１１の天板１２よりも下方において、上記第１個室側壁１３ａに、排気口１６が開設されている。この排気口１６から、床暖房手段１の床面３からの暖気を室外へ排出することができる。すなわち、図１に示すように、給気手段４から矢印Ａのように室内へ給気することによって、それに応じた量の空気が排気口１６を介して矢印Ｂのように室外へ排出されることになる。この際、机１１の天板１２の下方において天板手前から天板奥側へと矢印Ｃのように排気を流して室外へ排出することになる。このため、床暖房手段１からの暖気が天板奥側から天板手前へと流れるの防止することができ、この机１１に向かって椅子１７（図２参照）に座っている使用者Ｍと、天板１２との間の隙間から暖気が上昇するのを防止することができる。また、使用者Ｍの足元には暖たまりが形成される。
【００３６】
ところで、この空気調和システムは、床暖房手段１の暖房能力、給気手段４の給気能力、及び冷却手段１０の冷却能力を調整して、空気調和空間の上下方向温度分布を制御する制御手段（コントローラ）２０を備えている。すなわち、床暖房手段１は、輻射パネルの発熱温度を調整してその暖房能力を調整でき、給気手段４は、給気量や給気温度を調整して給気能力を調整でき、冷却手段１０は、冷却温度や給気手段４への供給量を調整して冷却能力を調整できる。このため、制御手段２０から床暖房手段１の能力調整部１ａ、給気手段４の能力調整部４ａ、及び冷却手段１０の能力調整部１０ａに変更指令信号を入力し、これによって、床暖房手段１の暖房能力や給気手段４の給気能力や冷却手段１０の冷却能力を変更して、この室内（空気調和空間）の上下方向温度分布を調整することができる。なお、制御手段２０はマイクロコンピュータ等にて構成することができ、その操作部２０ａが机１１に置かれている。また、制御手段２０としては、図１に示すようなパーソナルコンピュータ（パソコン）２２にて構成することもできる。
【００３７】
具体的には、床暖房手段１の暖房能力と給気手段４の給気能力と冷却手段１０の冷却能力に応じて形成される種々の上下温度分布のデータを予め測定しておき、これらのデータを制御手段２０に入力し、床暖房手段１の暖房能力と給気手段４の給気能力と冷却手段１０の冷却能力、さらには、室内の所定位置の温度（例えば、机１１の天板１２上の温度）に基づいて、上記予め測定した上下温度分布のデータから、現在の上下温度分布を決定し、この現在の上下温度分布を、例えば、図３（ａ）に示すような等温線Ｌ・・が表示されるパネル２１にて示すことができる。この場合、パネル２１を液晶パネルとして、指やペン等でこのパネル２１の表面をタッチ（接触）することによって、図３（ｂ）に示すように、このパネル２１上の等温線Ｌの位置を変えることができる。すなわち、このパネル２１はいわゆるタッチパネル方式の入力手段を構成している。そして、パネル２１の温度分布が変更されれば、この変更された分布となるように、床暖房手段１の暖房能力と給気手段４の給気能力と冷却手段１０の冷却能力とが調整される。この場合、机に向かって仕事等をする使用者Ｍの位置（座位）を、図示省略の検出センサ（位置検出センサ）等にて検出して、この座位に応じて、制御手段２０は、吹出口８に付設されたフラップの位置を調整して給気方向を変更することができる。また、上記パネル２１は、例えば、机１１に置かれるパソコン２２のモニター２３にて構成することができるが、もちろん別途、独立したものであってもよい。また、制御手段２０の操作部２０ａに、このようなタッチパネル方式の入力手段を設けるようにしてもよく、さらに、入力方式としてはタッチパネル方式に限るものではなく、押し釦やダイヤル等のスイッチ方式であってもよい。なお、図１において、図３（ａ）（ｂ）に示される等温線Ｌを二点鎖線で示している。
【００３８】
ところで、個室ユニットを形成する場合、天井２と、床面３と、これらを連結する個室側壁１３・・（図例では４枚）とで構成される個室５に、空気調和システムを組み込めばよいので、このような空気調和システムを具備しない個室５に、この空気調和システムを組み込むことによって個室ユニットとすることができる。また、ビル等の大きい空間を仕切ることによって、天井２と、床面３と、これらを連結する個室側壁１３・・からなる個室５を形成し、これを個室ユニットとすることができる。
【００３９】
上記空気調和システム及びこの空気調和システムを使用した個室ユニットは、床暖房手段１から暖気と、天井２側から床面３に向けての給気手段４の給気にて、空気調和空間を形成することによって、机１１に向かって仕事等をする使用者Ｍは、足元が暖かく、天井１１からは床面３に向けて給気されて、頭寒足熱状態となる。そして、排気口１６を設けたことによって、机１１の天板１２の下方において天板手前から天板奥側へと排気を流して空気調和空間（室内）から排出することができる。これによって、床暖房手段１からの暖気が天板奥側から天板手前へと流れず、天板手前から使用者Ｍに向かって暖気が上昇するのを防止することができる。このため、使用者の顔には暖気が当らず、不快感が発生せず快適に過ごすことができる。
【００４０】
また、給気手段４の給気が冷却手段１０にて冷却されているので、冷気が天井２側から床面３に下降することになって、夏場等において頭部側を冷やして能率よく仕事等を行うことができる。さらに、排気口１６を上記机１１の天板１２よりも下方位置に設けたことにより、机１１の天板１２の下方において天板手前から天板奥側へと排気を確実に流すことができる。しかも、空気調和空間（室内）の上下方向温度分布を制御することができるので、利用者Ｍの希望する上下方向温度分布とすることができ、利用者は一層快適に過ごすことができ、仕事や勉強がはかどることになる。また、この実施の形態のように、タッチパネル方式を使用することによって、簡単に温度分布を変更すすることができる。
【００４１】
なお、排気口１６に排気用ファンを付設することも可能であり、排気用ファンを付設すれば、安定した排気を行うことができる。また、給気側に給気ファン７を設け、排気側に排気用ファンを設けたことにより、室内に対する給排気制御が行い易い利点がある。そして、排気口１６に排気用ファンを設ければ、上下温度分布を変更する際に、この排気用ファンの回転数も制御するようにするのが好ましい。
【００４２】
ところで、机１１に向かって仕事等を行う場合、図４に示すように、この机１１の天板１２に上面を照らす照明器２５が配置される場合がある。このような場合には、照明器２５は発熱体２６となるので、この発熱体２６からの熱気をこの空気調和空間（室内）から排出する排熱口２７を設ける。また、この図４において、２８はこの照明器２５を支持するための支持部材であって、照明器２５のカバーを兼ねることができ、しかも、発熱体２６からの熱気を排熱口２７へ案内するガイドとなる。なお、他の構成は、上記図１に示す個室ユニットと同様であるので、同一部材に同一符号を付してそれらの説明を省略する。
【００４３】
この図４に示すものでは、照明器２５等の発熱体２６からの熱気を排熱口２７を介して空気調和空間（室内）から矢印Ｄのように排出することができるので、机１１に向かって仕事等をする使用者Ｍに対するこの熱気による不快感等の影響を防止することができる。しかも、使用者Ｍは、床暖房手段１にて足元が暖かく、給気手段４にて天井２からは床面３に向けて給気されて、頭寒足熱状態となり、さらに、机１１の天板１２の下方において天板手前から天板奥側へと排気を流して空気調和空間から矢印Ｂのように排出することができる。これらによって、快適に過ごすことができ、仕事等を能率よく行うことができる。
【００４４】
次に、図５では、発熱体２６からの熱気をこの空気調和空間（室内）から排出する排熱口２７が、天板手前から天板奥側へと排気を流して室外へ排出する排気口１６を兼ねるようにしている。この場合、机１１の天板１２を第１個室側壁１３ａから僅かに離して設置され、この天板１２の天板後端縁１４と第１個室側壁１３ａとの間に隙間Ｓを設けている。また、排熱口２７である排気口１６は、支持部材２８等から構成されるガイド部にて、下方からこの排気口１６に排気を案内するようにしている。すなわち、排気口１６への排気の導入口が下方に開口している。なお、他の構成は、上記図１に示す個室ユニットと同様であるので、同一部材に同一符号を付してそれらの説明を省略する。
【００４５】
この場合も、給気手段４から室内へ給気されることによって、その分の空気が排気口１６を介して室内から排出されることになるが、この際、排気は、矢印Ｅのように、机１１の天板１２の下方において天板手前から天板奥側へと流れ、さらに、天板１２の天板後端縁１４と第１個室側壁１３ａとの間の隙間Ｓを流れて、下方から排気口１６へ侵入して室外へ排出することになる。このため、机１１の天板１２よりも下方に排気口１６を設けなくても、床暖房手段１からの暖気が天板奥側から天板手前へと流れるのを防止することができ、使用者Ｍと天板１２との間の隙間から暖気が上昇するのを防止することができる。しかも、床暖手段１にて足元が暖かく、給気手段４にて天井２からは床面３に向けて給気されて、頭寒足熱状態となる。また、発熱体２６からの熱気も、矢印Ｆのように排熱口２７を兼ねる排気口１６から室外へ排出することができる。
【００４６】
ところで、別の実施の形態として、個室５に入室した利用者の活動量や代謝量等を検出又は推定して、使用者Ｍの産熱量、快適性、及び室内での作業等に適した温度分布に調整できるようにしてもよい。すなわち、机１１に向かって椅子１７に座っている使用者Ｍの心拍数、皮膚温等を検出することによって、この使用者Ｍの現在の温感を測定する。そして、この測定したデータを上記制御手段２０に入力し、このデータに基づいて、床暖房手段１の暖房能力と給気手段４の給気能力とを調整することによって、温度分布を変更することができる。なお、皮膚温は、例えば赤外線センサ等で測定することができる。
【００４７】
このように、使用者Ｍの代謝量等の変化に応じて温度分布を調整すれば、使用者Ｍにとって最適な温度に調整することができ、一層快適に過ごすことができる。すなわち、空気調和空間（室内）においては、使用者Ｍからの発熱がこの空間内の温度分布に大きな影響を与えるため、この使用者Ｍからの発熱を考慮して、温度分布を変化させることができ、これによって、この空気調和空間を使用者Ｍにとって、最適な空気調和空間となるようにして、仕事や勉強等がはかどるようにすることができる。
【００４８】
ところで、上記各実施の形態では、給気手段４の吹出口８から室内へ給気され、排気口１６から室外へ排気されるものであるので、通常は、個室外の外気が給気に使用され、排気が個室外に排出される。しかしながら、設置場所等によっては、排気口１６からの排気を室外へ排出する場合に、直接的に個室外へ排出できなかったり、給気手段４にて室内へ給気する場合に、直接的に外気を取り入れることができなかったりすることがあり、このような場合には、排気口１６からの排気を供給手段４に供給して、これを給気に使用することができる。この際、排気を冷却手段１０にて冷却して給気することになる。
【００４９】
以上にこの発明の空気調和システム及び個室ユニットの具体的な実施の形態について説明したが、この発明は上記実施の形態に限定されるものではなく、この発明の範囲内で種々変更して実施することが可能である。例えば、床暖房手段１として、温水を使用したものであってもよい。すなわち、床内部に循環パイプを埋設し、給湯機等にて沸き上げた温水を循環パイプにて循環するようにすればよい。また、発熱体２６を構成するものとしては、図４等に示す照明器２５に限るものではなく、机１１の天板１２上に置かれるパソコンやコピー機等の各種の事務機器、さらには、音響機器等も発熱体２６となる。そのため、排熱口２７としては、これらの発熱体２６からの熱気を排出できるような位置に設けるのが好ましい。また、机１１の配置位置としては、各実施の形態のように、４つの個室側壁１３を有する場合、どの個室側壁１３に対応させてもよく、また、隣合う個室側壁１３、１３のコーナー部に配置してもよい。これらの場合であっても、机１１の天板１２の下方において天板手前から天板奥側へと排気を流して空気調和空間（室内）から排出するように、排気口１６を設ければよい。さらに、机１１の天板１２の高さ位置、大きさ、及び形状、さらには、排気口１６の開口大きさ等としても、排気口１６から、机１１の天板１２の下方において天板手前から天板奥側へと排気を流して空気調和空間（室内）から排出することができれば、任意に設定することができる。また、上記図１に示す実施の形態では、給気を冷却する冷却手段１０を設けているが、冷却手段１０を設けることなく、給気手段４の給気ファン７が駆動することによって生じる送風のみであってもよい。さらに、排気口１６の数としては、１個に限るものではなく、複数個であってもよく、また、排熱口２７を設ける場合にも、その数としては、１個に限るものではなく、複数個であってもよい。
【００５０】
【発明の効果】
請求項１の空気調和システムによれば、床暖房手段から暖気と、天井側から床面に向けての給気手段の給気にて、空気調和空間を形成することによって、机に向かって仕事等をする使用者は、足元が暖かく、天井からは床面に向けて給気されて、頭寒足熱状態となる。そして、床暖房手段からの暖気が天板奥側から天板手前へと流れず、天板手前から使用者に向かって暖気が上昇するのを防止することができる。このため、使用者の顔等には暖気が当らず、不快感が発生せず快適に過ごすことができる。
【００５１】
請求項２の空気調和システムによれば、給気手段の給気が冷却されているので、冷気が天井側から床面に下降することになって、夏場等において頭部側を冷やして、頭寒状態を確実に形成することができ、能率よく仕事等を行うことができる。
【００５２】
請求項３の空気調和システムによれば、机の天板の下方において天板手前から天板奥側へと排気を確実に流すことができる。これにより、机に向かって仕事等をする使用者に対する顔等への暖気の当りを確実に防止することができ、快適性の向上を達成できる。
【００５３】
請求項４の空気調和システムによれば、照明器等の発熱体からの熱気を排熱口を介して空気調和空間から排出することができるので、机に向かって仕事等をする使用者に対するこの熱気による不快感等の影響を防止することができる。これによって、照明器等の発熱体があっても快適に過ごすことができる。
【００５４】
請求項５の空気調和システムによれば、照明器等の発熱体からの熱気を空気調和空間から排出する排熱口と、天板手前から天板奥側へと排気を流して空気調和空間から排出する排気口とが共通であるので、この空気調和システムの施工の簡略化を図ることができ、コストの低減を達成することができる。
【００５５】
請求項６の空気調和システムによれば、制御手段にて、空気調和空間の上下方向温度分布を制御することができるので、使用者の好みや、季節等によって、空気調和空間を種々の上下方向温度分布に形成することができる。これにより、使用者は一層快適に過ごすことができ、仕事や勉強等を能率よく行うことができる。
【００５６】
請求項７の個室ユニットによれば、床暖房手段から暖気と、天井側から床面に向けての給気手段の給気にて、室内を空気調和空間に形成することによって、机に向かって仕事等をする使用者は、足元が暖かく、天井からは床面に向けて給気されて、頭寒足熱状態となる。そして、床暖房手段からの暖気が天板奥側から天板手前へと流れず、天板手前から使用者に向かって暖気が上昇するのを防止することができる。このため、使用者の顔等には暖気が当らず、不快感が発生せず快適に過ごすことができる。
【００５７】
請求項８の個室ユニットによれば、給気手段の給気が冷却されているので、冷気が天井側から床面に下降することになって、夏場等において頭部側を冷やして、頭寒状態を確実に形成することができ、能率よく仕事等を行うことができる。
【００５８】
請求項９の個室ユニットによれば、机の天板の下方において天板手前から天板奥側へと排気を確実に流すことができる。これにより、机に向かって仕事等をする使用者に対する顔等への暖気の当りを確実に防止することができ、快適性の向上を達成できる。
【００５９】
請求項１０の個室ユニットによれば、照明器等の発熱体からの熱気を排熱口を介して室外へ排出することができるので、机に向かって仕事等をする使用者に対するこの熱気による不快感等の影響を防止することができる。これによって、照明器等の発熱体があっても快適に過ごすことができる。
【００６０】
請求項１１の個室ユニットによれば、照明器等の発熱体からの熱気を室外へ排出する排熱口と、天板手前から天板奥側へと排気を流して室外へ排出する排気口とが共通であるので、この個室ユニットの施工の簡略化を図ることがき、コストの低減を達成することができる。
【００６１】
請求項１２の個室ユニットによれば、制御手段にて、室内の上下方向温度分布を制御することができるので、使用者の好みや、季節等によって、室内を種々の上下方向温度分布に形成することができる。これにより、使用者は一層快適に過ごすことができ、仕事や勉強等を能率よく行うことができる。
【図面の簡単な説明】
【図１】この発明の空気調和システムの実施の形態を示す簡略図である。
【図２】この発明の個室ユニットの個室の要部斜視図である。
【図３】上記空気調和システムの表示パネルを示し、（ａ）は変更前の温度分布の簡略図であり、（ｂ）は変更後の温度分布の簡略図である。
【図４】この発明の個室ユニットの他の実施の形態の簡略図である。
【図５】この発明の個室ユニットの別の実施の形態の簡略図である。
【符号の説明】
１  床暖房手段
２  天井
３  床面
４  給気手段
５  個室
１０  冷却手段
１１  机
１２  天板
１３  個室側壁
１６  排気口
２０  制御手段
２５  照明器
２６  発熱体
２７  排熱口
【図１】
2004198039.tif 000003
【図２】
2004198039.tif 000004
【図３】
2004198039.tif 000005
【図４】
2004198039.tif 000006
【図５】
2004198039.tif 000007